(57)【特許請求の範囲】
【請求項１】
室内空間をキッチン側とダイニング側とに仕切るように配置される対面式のキッチン台であって、
前記キッチン台の上方には、該キッチン台の上面よりも上方の空間の少なくとも一部をキッチン側とダイニング側とに仕切る仕切部材が配置され、前記仕切部材は、表示部がキッチン側に臨む向きとダイニング側に臨む向きとに切り替え自在に設けられた表示器を備えると共に、前記表示器を回動自在に支持する支持フレームが取り付けられていることを特徴とする表示器を備えたキッチン台。
【請求項２】
前記表示器は、前記仕切部材における一側辺を中心に回動自在に設けられ、前記表示部を前記ダイニング側に臨ませたときに、該表示器の本体背面が前記仕切部材における前記ダイニング側の面と対向するようになっている請求項１に記載の表示器を備えたキッチン台。
【請求項３】
前記仕切部材は、前記キッチン台に配置された加熱機器および／またはシンクの近傍に取り付けられていることを特徴とする請求項１または２に記載の表示器を備えたキッチン台。
【請求項４】
前記表示器に接続されるスピーカの放音部が、前記仕切部材に形成されていることを特徴とする請求項１ないし３のいずれかに記載の表示器を備えたキッチン台。
【請求項５】
前記仕切部材は、前記キッチン台の上方に位置する壁または天井に取り付けられていることを特徴とする請求項１ないし４のいずれかに記載の表示器を備えたキッチン台。
【発明の詳細な説明】
【技術分野】
【０００１】
本発明は、室内空間をキッチン側とダイニング側とに仕切るように配置される対面式のキッチン台に係わり、特にテレビやパソコン等の表示器を備えたキッチン台に関する。
【背景技術】
【０００２】
従来、キッチン台の使用者が、調理作業を行いながらテレビ等を見ることができるようにするために、キッチン台に近接した壁面に凹部を設け、この凹部内にテレビやパソコン等のディスプレイ（表示器）を壁面と面一になるように収納させたものがある（例えば、特許文献１参照）。
【０００３】
また、料理教室等で使用される移動可能な調理キャビネット（キッチン台）の調理台の側端部に、液晶パネル（表示器）を設け、この液晶パネルに調理作業の内容が工程順に表示されるようにしたものもある（例えば、特許文献２参照）。
【０００４】
【特許文献１】特開２００１−２５２１４０号公報（第３頁、第１図）
【特許文献２】特開２００４−１２１５９０号公報（第５頁、第１図）
【発明の開示】
【発明が解決しようとする課題】
【０００５】
しかしながら、特許文献１に記載のキッチン台にあっては、背面が壁面に当接するように配置されているため、ディスプレイ（表示器）を壁面に設置することができるが、設置したい箇所に窓や食器棚等が予め設けられていると、所望の位置に設置できないことがあるばかりか、施工が大がかりになるといった問題があった。
【０００６】
また、特許文献２に記載の調理台にあっては、前記特許文献１に記載されているような壁面がキッチン台の背面側に存在しないため、調理台（キッチン台）上に液晶パネル（表示器）を直接設置しているが、このような場合、設置用の支持部材等を別途用意する必要があるばかりか、特に液晶パネルを使用しないで調理するときでも、表示面がキッチン側を向いていることで、調理時に発生する熱や水等により表示面が汚れやすかった。
【０００７】
本発明は、このような問題点に着目してなされたもので、表示部を見やすい位置に設置することができるとともに、表示器を使用しないで調理するときに表示部が汚れることを防止できる表示器を備えたキッチン台を提供することを目的とする。
【課題を解決するための手段】
【０００８】
前記課題を解決するために、本発明の請求項１に記載の表示器を備えたキッチン台は、室内空間をキッチン側とダイニング側とに仕切るように配置される対面式のキッチン台であって、
前記キッチン台の上方には、該キッチン台の上面よりも上方の空間の少なくとも一部をキッチン側とダイニング側とに仕切る仕切部材が配置され、前記仕切部材は、表示部がキッチン側に臨む向きとダイニング側に臨む向きとに切り替え自在に設けられた表示器を備えると共に、前記表示器を回動自在に支持する支持フレームが取り付けられていることを特徴としている。
この特徴によれば、表示器が仕切部材に設けられることで、表示器をキッチン台に設置するための支持部材等を別途用いることなく、表示部を見やすい位置に表示器を設置することができる。また、表示部の向きをキッチン側から切り替えてダイニング側に臨ませておくことで、例えばキッチン台側で表示器を使用しないで調理する場合等において、キッチンで発生する熱気や水、油等で表示部が汚れたり熱により故障することが効果的に防止されるとともに、ダイニング側で表示器を使用することができる。更に仕切部材に直接表示器を取り付ける場合に比べて、支持フレームにより表示器の支持強度が高まるため、がたつきが防止される。
【０００９】
本発明の請求項２に記載の表示器を備えたキッチン台は、請求項１に記載の表示器を備えたキッチン台であって、
前記表示器は、前記仕切部材における一側辺を中心に回動自在に設けられ、前記表示部を前記ダイニング側に臨ませたときに、該表示器の本体背面が前記仕切部材における前記ダイニング側の面と対向するようになっていることを特徴としている。
この特徴によれば、表示部をダイニング側に臨ませたときに、表示部のみならず、表示器本体がキッチン側から見て仕切部材の裏側（ダイニング側）に退避することになるため、キッチン台側で表示器を使用しないで調理する場合等において、キッチンで発生する熱気や水、油等は仕切部材により遮断され、表示部を含む表示器本体が汚れたり熱により故障することが効果的に防止される。
【００１０】
本発明の請求項３に記載の表示器を備えたキッチン台は、請求項１または２に記載の表示器を備えたキッチン台であって、
前記仕切部材は、前記キッチン台に配置された加熱機器および／またはシンクの近傍に取り付けられていることを特徴としている。
この特徴によれば、使用者が、調理作業中に最も多く使用する加熱機器および／またはシンクに居ながら表示部を見ることができる。
【００１１】
本発明の請求項４に記載の表示器を備えたキッチン台は、請求項１ないし３のいずれかに記載の表示器を備えたキッチン台であって、
前記表示器に接続されるスピーカの放音部が、前記仕切部材に形成されていることを特徴としている。
この特徴によれば、スピーカをキッチン台等に別途設ける必要がないので、スピーカにより調理スペースが占有されて調理しにくくなることを防止できる。
【００１３】
本発明の請求項５に記載の表示器を備えたキッチン台は、請求項１ないし４のいずれかに記載の表示器を備えたキッチン台であって、
前記仕切部材は、前記キッチン台の上方に位置する壁または天井に取り付けられていることを特徴としている。
この特徴によれば、表示器の表示部を比較的高い位置に配置できるため、起立姿勢のままでも調理者から表示部を見やすくなり、かつ仕切部材が壁または天井に取り付けられることで、キッチン台の上面が仕切部材によって占有されることなく広く使用できるようになる。
【発明を実施するための最良の形態】
【００１４】
本発明に係る表示器を備えたキッチン台を実施するための最良の形態を実施例に基づいて以下に説明する。
【実施例１】
【００１５】
本発明の実施例を図面に基づいて説明すると、先ず図１は、実施例１におけるキッチン台を示す斜視図であり、図２は、実施例１におけるディスプレイを示す横断平面図である。以下、図１の紙面左下側、及び図２の紙面下方側をキッチン台の正面側（前方側）として説明する。
【００１６】
図１の符号１は、室内空間をキッチン側とダイニング側とに仕切るように配置されるキッチン台１であり、このキッチン台１の正面側はキッチン空間となっているとともに、キッチン台１の背面側はダイニングテーブル２等が配置されたダイニング空間となっている。このキッチン台１は、キッチンに居る使用者がダイニング側に居る人と対面しながら調理作業を行える対面式のキッチン台１となっている。
【００１７】
図１に示すように、キッチン台１の天板３の上面には、本実施例における加熱機器としてのガスコンロ４やシンク５が設けられており、ガスコンロ４の上方には、レンジフード６が設置されている。キッチン台１の天板３におけるガスコンロ４の配置位置後方の後端縁部には、本実施例における仕切部材としての略板状の仕切パネル７が立設されている。
【００１８】
図１に示す仕切パネル７は所定幅、所定高さおよび所定厚さを有し、仕切パネル７の正面側がキッチン側に向き、仕切パネル７の背面側がダイニング側を向くように、天板３の後端縁に沿って立設されており、この仕切パネル７によって、キッチン台１の天板３上の一部の空間がキッチン側とダイニング側とに仕切られている。尚、この仕切パネル７が天板３上におけるガスコンロ４が配置された後端縁に立設されていることで、ガスコンロ４の炎による熱気や水、油等がダイニング側に飛散しないようになっている。
【００１９】
また、仕切パネル７は、調理の際に生じる音や煙等がダイニング側へ伝わることを防止するとともに、ダイニング空間からキッチン空間が見えないようにするための目隠し板としての機能も備えている。
【００２０】
更に図１に示すように、仕切パネル７をキッチン側から見て右側の辺部には、上下方向に延びる支持フレームとしての棒状部材３９の上部及び下部が連結されている。棒状部材３９の一部は、水平方向に回動可能に軸支された回動部４０が形成されており、この回動部４０には、表示器としての液晶ディスプレイ１１が内蔵された回動パネル４１が取り付けられている。
【００２１】
よって、回動部４０を中心として回動パネル４１を回動させることによって、液晶ディスプレイ１１の表示画面（表示部）１１’をキッチン側およびダイニング側のどちらの方向にも向けられるようになっている。そのためキッチン側とダイニング側とのどちらからでも液晶ディスプレイ１１の表示画面１１’が見られるようになっている。このように、仕切パネル７には、液晶ディスプレイ１１が内蔵された回動パネル４１を回動自在に支持する棒状部材３９が取り付けられていることで、仕切パネル７に直接液晶ディスプレイ１１を回動自在に取り付ける場合に比べて、仕切パネル７に固着された棒状部材３９により回動パネル４１の支持強度が高まるため、がたつきが防止される。
【００２２】
次に、回動パネル４１について詳述すると、図２に示すように、回動パネル４１は、その正面側に本実施例における保護パネルとしての２枚のガラス板８を有し、このガラス板８は、その４辺が枠状のフレーム１０により保持されている。また、回動パネル４１は、その背面側にも１枚の板部材９を有しており、これら正面側の２枚のガラス板８と背面側の１枚の板部材９との間には、本実施例における表示器としての薄型の液晶ディスプレイ１１が配置されている。
【００２３】
尚、本実施例においては、表示器の一例として液晶ディスプレイ１１が適用されていたが、プラズマディスプレイやＥＬ（エレクトロ・ルミネッセンス）ディスプレイ等が適用可能であり、これらディスプレイは薄型であることが好ましい。
【００２４】
図２に示すように、フレーム１０の内部には、断面視で略コ字形状を成す挟持部材１２が配置されている。回動パネル４１の正面側に配置される２枚のガラス板８は、その上下および左右の端辺が挟持部材１２によって挟持される。また、フレーム１０は挟持部材１２を覆うように取り付けられる。尚、フレーム１０の内部における挟持部材１２とフレーム１０との間にはスペーサ１３が配置されており、挟持部材１２がフレーム１０内部でぐらつかないようになっている。
【００２５】
更に、図２の部分拡大図に示すように、挟持部材１２には、挟持部材１２の内方側に突出された弾力性を有する挟持爪１４が形成されており、この挟持爪１４によってガラス板８の端縁を前後方向から挟持できる。そのため挟持部材１２によって保持されるガラス板８が前後方向にぐらつかないようになっている。
【００２６】
また、図２の部分拡大図に示すように、挟持部材１２の前後方向の中間部には突出条１５が形成されている。２枚のガラス板８は、この突出条１５を挟むように配置され、ガラス板８同士の間には、突出条１５の厚み分の間隙が形成されてある。
【００２７】
図２に示す液晶ディスプレイ１１は、その表示画面１１’がガラス板８に臨むように、回動パネル４１の内部に配置されている。また、液晶ディスプレイ１１は、その背面側に配置される取付板１６に取り付けられる。尚、この取付板１６が、正面側に配置されるガラス板８の左右辺を保持するフレーム１０にネジ（図示略）等を用いて取り付けられる。
【００２８】
図２に示すように、ガラス板８を保持するフレーム１０には、アタッチメント１９が取り付けられており、このアタッチメント１９には、フレーム１０を嵌合させるための嵌合部２１が形成されている。尚、各々のアタッチメント１９の嵌合部２１内には、フレーム１０が嵌合部２１内で前後方向にぐらつくことを防ぐための嵌合片２３が設けられている。
【００２９】
また、図２に示すように、回動パネル４１の背面側に配置される板部材９は、その上辺と下辺がアタッチメント１９に形成された係合部２５に係合される。アタッチメント１９の係合部２５は、正面側のガラス板８から所定距離離れて形成されており、正面側のガラス板８と背面側の板部材９との間に液晶ディスプレイ１１を設置できる空間が形成され、回動パネル４１内部が中空状に形成されている。
【００３０】
また、図２に示すように、各々のアタッチメント１９には、本実施例における放熱孔としての複数のスリット孔２７が形成されている。アタッチメント１９に形成されたスリット孔２７は、回動パネル４１の背面側に開口するように形成されている。このようにスリット孔２７が、回動パネル４１の正面側以外に形成されることにより、液晶ディスプレイ１１の表示画面１１’がキッチン側に臨むように配置されているときに、キッチンで発生する熱気や水、油等が、スリット孔２７から仕切パネル７の内部に進入しにくいようになっている。
【００３１】
更に、最も正面側に配置されるガラス板８は半透過型ガラスで構成されており、回動パネル４１内部の液晶ディスプレイ１１がキッチン側から見えないようになっている。ガラス板８に用いられている半透過型ガラスは、液晶ディスプレイ１１の表示画面に画像が表示されていない場合に、ガラス板８が不透明になるように構成されており、液晶ディスプレイ１１の表示画面に画像が表示され、表示画面が明るくなると、半透過型ガラスで構成されるキッチン側のガラス板８の一部に形成された表示領域に映像が浮かび上がるようになっている。尚、本実施例では、後述するように、ガラス板８の表面にフィルムを貼ることで半透過型ガラスを構成している。更に尚、ガラス板８を形成するガラス自体が半透過性のものを使用してもよい。
【００３２】
また、図２に示すように、正面側に配置される２枚のガラス板８の間に、若干の間隙が形成され、２重のガラス構造が形成されることによって、液晶ディスプレイ１１の表示画面１１’がキッチン側に臨むように配置されているときに、回動パネル４１の正面側でガスコンロ４等の加熱機器からの熱の伝達が遮断され、回動パネル４１の内部に配置される液晶ディスプレイ１１が保護される。
【００３３】
尚、正面側に配置される２枚のガラス板８の内、外側に配置されるガラス板８の背面側の全面には、本実施例における熱遮断手段としての飛散防止フィルム（図示略）貼られている。このようにガラス板８に飛散防止フィルム（図示略）を貼った場合には、ガラス板８の破損時にガラスの破片が飛散することを防止できる。
【００３４】
また、正面側に配置される２枚のガラス板８の内、内側に配置されるガラス板８の正面側の全面には、本実施例における熱遮断手段としての輻射熱を通過させ難い熱遮断性を有する日照調整・断熱フィルム（図示略）が貼られている。この日照調整・断熱フィルム（図示略）は、可視光の透過率が１５〜３０％程度のものを使用している。このようにガラス板８に日照調整・断熱フィルム（図示略）を貼った場合には、液晶ディスプレイ１１を使用していないときに回動パネル４１の内部が見えずガラス板８が黒っぽい鏡のように見え、液晶ディスプレイ１１の使用時には、ガラス板８を介して表示画面が見えるようになっている。
【００３５】
更に、正面側に配置される２枚のガラス板８の内、内側に配置されるガラス板８の背面側には、本実施例における熱遮断手段としての熱線遮断フィルム（図示略）が貼られている。この熱線遮断フィルム（図示略）は、ガラス板８における液晶ディスプレイ１１の表示画面以外の部位に貼り付けられており、液晶ディスプレイ１１の表示画面のみを回動パネル４１の正面側から見えるようにし、表示画面の以外の部位を隠蔽できるようにしている。
【００３６】
これらの熱遮断手段としての飛散防止フィルム（図示略）、日照調整・断熱フィルム（図示略）、熱線遮断フィルム（図示略）によっても液晶ディスプレイ１１をガスコンロ４の熱から保護することができる。また、このような断熱フィルムの代わりに、ガラス板８自体を熱遮断性を有する素材にて構成してもよい。
【００３７】
更に図２に示すように、棒状部材３９の内部は、空洞部４２が形成されており、液晶ディスプレイ１１から延びる配線３５が、この空洞部４２を介して天板３の下方側に延びるようになっている。このようにすれば、キッチン台１の内部に配線３５を挿通することができ、配線３５がキッチン台１の外部に露呈しないので、キッチン台１の見栄えがよくなるとともに、水や油等が配線３５にかからず漏電の防止にもなる。
【００３８】
尚、配線３５はキッチン台１の内部に設置された本実施例における表示器としてのＴＶチューナ（図示略）や電源ボックス（図示略）や後述するスピーカ３６に接続される。ＴＶチューナ（図示略）や電源ボックス（図示略）やスピーカ３６と、液晶ディスプレイ１１とを別体として設置することで、液晶ディスプレイ１１の施工作業が容易になるとともに、メンテナンスが行い易く、さらに回動パネル４１の軽量化を図ることができる。
【００３９】
更に図１に示すように、キッチン台１の正面側における天板３よりも下方側に配置される側面板である化粧板３７には、本実施例における放音穴としての複数の小穴部３８が形成されており、この小穴部３８が形成された化粧板３７の内面側に液晶ディスプレイ１１と接続されたスピーカ３６が取り付けられており、使用者がキッチンで調理作業しながら液晶ディスプレイ１１の音声を聴くことができる。このように天板３よりも下方側に小穴部３８を設けることで、使用者が調理作業したときに、天板３上で発生する熱気や水等が小穴部から入り込まないようになり、スピーカ３６を保護することができる。
【００４０】
尚、本実施例では、放音穴としての複数の小穴部３８がキッチン台１の側面板である化粧板３７に形成されているが、この側面板はキッチン台１をキッチン側から見たときに、外面が左右側を向く側面板に限らず、外面がキッチン側（正面）またはダイニング側（背面）を向く側面板も含む。また、例えばキッチン台の形状が、下向きコ字形状のゲート型（アーチ型）に構成されたキッチン台である場合において、ゲート型のキッチン台の内側に配置される側面板に複数の小穴部３８が形成されても良い。
【００４１】
また、本実施例では、図１に示すように、棒状部材３９の内部における回動部４０よりも上方には、上記スピーカ３６とは別個に設けられたスピーカ（図示略）が配置されているとともに、その周面には、該スピーカから出力される音を放音する複数の小穴部３８’が形成されている。このように、液晶ディスプレイ１１に接続されるスピーカ及びその放音穴を、仕切パネル７に一体的に固着された棒状部材３９に設けることで、スピーカをキッチン台１等に設ける必要がないので、スピーカにより調理スペースが占有されて調理しにくくなることがない。
【００４２】
以上、本実施例のキッチン台１によれば、表示器の一例である液晶ディスプレイ１１が内蔵された回動パネル４１が仕切部材としての仕切パネル７に固着された棒状部材３９に対して回動自在に設けられていることで、液晶ディスプレイ１１をキッチン台１に設置するための支持部材等を別途用いることなく、仕切パネル７を利用して、表示画面１１’を見やすい位置に液晶ディスプレイ１１を設置することができる。
【００４３】
また、液晶ディスプレイ１１の表示画面１１’をキッチン側に臨ませたときには、キッチン台１の使用者が表示画面１１’を見ることができ、表示画面１１’の向きをキッチン側から切り替えてダイニング側に臨ませておくことで、例えばキッチン台側で液晶ディスプレイ１１を使用しないで調理する場合等において、キッチンで発生する熱気や水、油等で表示画面１１’が汚れたり、熱により故障することがないように退避させておくことができるばかりか、１台の液晶ディスプレイ１１をダイニング側にいる人も使用することができる。
【００４４】
更に本実施例の回動パネル４１は、仕切パネル７における右側辺を中心に回動自在に設けられており、表示画面１１’をダイニング側に臨ませたときに、該回動パネル４１の背面が仕切パネル７におけるダイニング側の面と対向するようになっているため、表示画面１１’をダイニング側に臨ませたときに、表示画面１１’のみならず、液晶ディスプレイ１１を含む回動パネル４１本体が、キッチン側から見て仕切パネル７の裏側（ダイニング側）に退避することになるため、キッチン台側で液晶ディスプレイ１１を使用しないで調理する場合等において、キッチンで発生する熱気や水、油等は仕切パネル７により遮断され、表示画面１１’を含む液晶パネル１１本体全体が汚れたり、熱により故障することが効果的に防止される。
【００４５】
また、回動パネル４１は前後面にガラス板８，９を有する中空状に形成されており、その内部に液晶ディスプレイ１１が配置されるとともに、液晶ディスプレイ１１の表示画面１１’よりも表面側に２枚のガラス板８が設けられ、該ガラス板８を通して回動パネル４１の内部の表示画面１１’を視認できるように構成されているので、液晶ディスプレイ１１本体全体が、汚れや衝撃等から保護される。
【００４６】
尚、本実施例によれば、ガラス板８が半透過型ガラスで構成されていることにより、液晶ディスプレイ１１を使用しないときには、液晶ディスプレイ１１がガラス板８によって隠蔽され、液晶ディスプレイ１１の使用時には、液晶ディスプレイ１１の表示画面が浮かび上がるようになっているので、回動パネル４１の見栄えを損ねることなく液晶ディスプレイ１１を設置できる。
【実施例２】
【００４７】
次に、実施例２に係る表示器を備えたキッチン台につき、図３を参照して説明する。尚、前記実施例１に示される構成部分と同一構成部分に付いては同一符号を付して重複する説明を省略する。図３は、実施例２におけるディスプレイを示す斜視図である。
【００４８】
図３に示すように、実施例２におけるキッチン台１の天板３上には、ガスコンロ４が配置されており、天板３上におけるガスコンロ４が配置された後端縁には、本実施例における仕切部材としての略板状の仕切パネル７が立設されている。また、仕切パネル７の側方側に近接して上下方向に延びる棒状部材３９ａが立設されており、この棒状部材３９ａの上部と下部は仕切パネル７に連結されている。
【００４９】
また、図３に示すように、棒状部材３９ａの一部は、水平方向に回動可能に軸支された回動部４０ａが形成されており、この回動部４０ａには、略コ字形状をなす回動フレーム４３ａが、回動部４０ａに対して垂直方向に回動自在に軸支されている。更に、回動フレーム４３ａには、本実施例における回動パネル４１ａが取り付けられており、この回動パネル４１ａは、回動フレーム４３ａに対して所定の回転方向に回動できるように軸支されている。
【００５０】
図３に示す回動パネル４１ａには、本実施例における表示器としての液晶ディスプレイ１１ａが設けられている。回動部４０ａを中心として回動フレーム４３ａを水平方向に回動させることで、液晶ディスプレイ１１ａを仕切パネル７の背面側に移動させることができる。そのためキッチン側で発生する熱や水撥ね等から表示画面１１’を退避させることができ、表示画面１１’の汚れや熱による液晶ディスプレイ１１の故障等が効果的に防止される。
【００５１】
更に、回動フレーム４３ａを垂直方向に回動させるとともに、回動パネル４１ａを回動フレーム４３ａに対して所定の回転方向に回転させることによって、液晶ディスプレイ１１ａの表示画面（表示部）１１’を上下左右のどちらの方向にも向けられるようになっている。そのためキッチン側とダイニング側とのどちらからでも液晶ディスプレイ１１ａの表示画面１１’が見られるようになっている。
【００５２】
尚、回動パネル４１ａが回動フレーム４３ａから容易に取り外すことができるとともに、回動フレーム４３ａが回動部４０ａから容易に取り外すことができるようになっている。そのため液晶ディスプレイ１１ａの修理や交換作業を容易に行えるようになっている。
【実施例３】
【００５３】
次に、実施例３に係る表示器を備えたキッチン台につき、図４を参照して説明する。尚、前記実施例１に示される構成部分と同一構成部分に付いては同一符号を付して重複する説明を省略する。図４は、実施例３におけるキッチン台を示す斜視図である。
【００５４】
図４に示すように、実施例３におけるキッチン台１の天板３上には、シンク５が設けられており、このシンク５の上方に位置する天井または壁（図示略）からは、本実施例における仕切部材としての棚部材２０が吊り下げられている。
【００５５】
図４に示す棚部材２０は所定幅、所定高さおよび所定厚さを有し、棚部材２０の正面側がキッチン側に向き、棚部材２０の背面側がダイニング側を向くように、天井（図示略）から吊り下げられている。この棚部材２０によって、キッチン台１の天板３上の一部の空間がキッチン側とダイニング側とに仕切られている。
【００５６】
図４に示すように、棚部材２０の下面には、上下方向に延びる棒状部材３９ｂが固着されている。棒状部材３９ｂの一部は、水平方向に回動可能に軸支された回動部４０ｂが形成されており、この回動部４０ｂに、本実施例における回動パネル４１ｂが取り付けられている。
【００５７】
また、この回動パネル４１ｂには、本実施例における表示装置および表示部として液晶ディスプレイ１１ｂが設けられている。回動部４０ｂを中心として回動パネル４１ｂを回動させることによって、液晶ディスプレイ１１ｂの表示画面（表示部）１１’をキッチン側およびダイニング側のどちらの方向にも向けられるようになっている。そのためキッチン側とダイニング側とのどちらからでも液晶ディスプレイ１１ｂの表示画面１１’が見られるようになっている。
【００５８】
使用者がキッチン台１のシンク５で作業をする際には、液晶ディスプレイ１１ｂの表示画面１１’がダイニング側に向くように回動パネル４１ｂを回動させることで、シンク５で発生する水撥ねから表示画面１１’を退避させることができ、表示画面１１’の汚れが防止される。また、このように液晶ディスプレイ１１ｂがシンク５の近傍に配置され、シンク５にて発生する水撥ねから液晶ディスプレイ１１ｂが保護されていることで、使用者が、調理作業中に最も多く使用するシンク５に居ながら表示画面１１’を見ることができるばかりか、表示画面１１’が比較的高い位置に配置されるため、起立姿勢のままでも調理者から表示画面１１’を見やすくなり、かつ棚部材２０が天井または壁に取り付けられることで、キッチン台１の上面が棚部材２０によって占有されることなく広く使用できるようになる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、液晶ディスプレイ１１に、表示器としてのＴＶチューナ（図示略）が接続されており、キッチン台１の使用者が液晶ディスプレイ１１でＴＶを見られるようになっているが、本発明はこれに限定されるものではなく、液晶ディスプレイ１１はＴＶ用のディスプレイに限定されるものではなく、パソコン等のディスプレイであってもよく、キッチン台１の使用者が液晶ディスプレイ１１でインターネットのホームページを見られるようにしたり、調理工程や調理レシピを表示するプログラムの画面を見られるようにしてもよい。
【００６１】
また、前記実施例では、回動パネル４１の正面側のガラス板８が、アタッチメント１９に嵌合され、着脱不能になっているが、本発明はこれに限定されるものではなく、回動パネル４１の正面側のガラス板８を、アタッチメント１９に着脱自在に取り付けてもよく、回動パネル４１の正面側のガラス板８が汚れた場合に、アタッチメント１９からガラス板８を取り外して容易に清掃できるようにしてもよい。また、回動パネル４１の正面側のガラス板８よりも更に正面側に、着脱自在な保護パネルや保護フィルムを設け、容易に清掃できるようにしてもよい。
【００６２】
更に、前記実施例では、液晶ディスプレイ１１を保護するために用いられる保護パネルとして、ガラス製の板部材で構成されたガラス板８が用いられていたが、本発明はこれに限定されるものではなく、ガラス板８以外にも、アクリル樹脂製の板部材や、その他の合成樹脂性の板部材を保護パネルとして使用してもよく、更に、金属製の板部材に複数の小孔を形成したパンチングメタル板を保護パネルとして使用してもよい。
【００６３】
尚、前記実施例では、液晶ディスプレイ１１が設けられる回動パネル４１が、仕切パネル７の右側の側辺に固着された上下方向を向く棒状部材３９に対して回動自在に支持されているが、本発明にあっては、液晶ディスプレイ１１の回動中心が上下方向を向く棒状部材３９により横回転するものに限定されるものではなく、例えば仕切パネル７の上辺に固着した左右方向（水平方向）を向く棒状部材等により縦回転自在に設けられていてもよい。
【００６４】
尚、前記実施例では、液晶ディスプレイ１１が設けられる回動パネル４１が、棒状部材３９に支持されているが、本発明はこれに限定されるものではなく、仕切パネル７を天板３上に水平方向に回動可能に軸支させ、この仕切パネル７に液晶ディスプレイ１１を設けるようにして、仕切パネル７自体を回動パネルとして構成することもできる。このように液晶ディスプレイ１１が設けられた仕切パネル７を回動させることで、キッチン側とダイニング側とのどちらからでも液晶ディスプレイ１１の表示画面１１’が見られるようにしてもよい。
【図面の簡単な説明】
【００６５】
【図１】実施例１におけるキッチン台を示す斜視図である。
【図２】実施例１におけるディスプレイを示す横断平面図である。
【図３】実施例２におけるディスプレイを示す斜視図である。
【図４】実施例３におけるキッチン台を示す斜視図である。
【符号の説明】
【００６６】
１                キッチン台
２                ダイニングテーブル
３                天板
４                ガスコンロ（加熱機器）
５                シンク
７                仕切パネル（仕切部材）
８，９            ガラス板（保護パネル、熱遮断手段）
１１              液晶ディスプレイ（表示器、表示部）
２０              棚部材（仕切部材）
２７              スリット孔（放熱孔）
３６              スピーカ
３７              化粧板
３８              小穴部（放音穴）
３９              棒状部材
４０              回動部
４１              回動パネル
【図１】
0004798650.tif 000002
【図２】
0004798650.tif 000003
【図３】
0004798650.tif 000004
【図４】
0004798650.tif 000005